(57)【要約】【課題】シュータなどに詰まった雪を短い時間で除去でき、耐久性に優れた除雪機用雪落し具を提供することにある。【解決手段】雪落し具３０は、一端の先尖り部３１と他端のスコップ部３２を有した樹脂製の中空棒である。除雪作業中に、規定値を超えた多量の雪１５がブロアからシュータ１６側に送り込まれると、シュータ１６の基部１７及び基部１７に連結したシュータ本体１８下部の断面矩形状の部位２６に雪１５が詰まり、詰まった雪１５の表面２７を、雪落し具３０のスコップ部３２で突いてシュータ１６の下方に落下させる。【効果】雪質に応じた先端部の使い分けをすることは、比較的短い時間で雪を除去でき、雪落し具に掛かる負荷も軽減して雪落し具の耐久性を向上させることができる。【選択図】　　　　図２
0003097677.tif 000002
【実用新案登録請求の範囲】
【請求項１】
除雪機のシュータなどに詰まった雪を突き落すための除雪機用雪落し具において、この雪落し具は作業者が握ることのできる棒状部と、この棒状部の一端に設けたスコップ部と、前記棒状部の他端に設けた先尖り部とからなることを特徴とする除雪機用雪落し具。
【考案の詳細な説明】
【０００１】
【考案の属する技術分野】
本考案は、除雪機のシュータ内などに詰まった雪を上方から突いてシュータの下方に落下させ、除雪機の除雪作業を円滑に進めるようにする除雪機用雪落し具に関する。
【０００２】
【従来の技術】
除雪機で除雪作業をおこなう際には、除雪機を前進させながらオーガで路上の雪を中央に掻き集め、掻き集めた雪をブロアでシュータに送り込み、送り込んだ雪をシュータを経て投射する。
ブロアからシュータに雪を送り込む際に、例えば規定値を超えた多量の雪をシュータに送り込むと、シュータ内に雪が詰まることが考えられる。シュータ内に詰まった雪を除去するものとして雪落し具が知られている（例えば特許文献１参照。）。
【０００３】
【特許文献１】
特公平４−３０４８７号公報（第１ー３頁、第２図）
【０００４】
図５は特許文献１の第２図の再掲図である。ただし、符号は振り直す。
１０１は雪落し棒、１０２は棒状体、１０３はへら、１０４は尖鋭部、１０５は溝（凹凸部）、１０６は孔であり、雪落し棒１０１には、樹脂から成形された中空状の棒状体１０２を本体とし、その一端部に、付着した雪を削り落すための平板状のへら１０３を形成し、また他端に付着した雪を突き落すための尖鋭部１０４を形成する。溝１０５…（…は複数個を表す。以下同じ。）は握り部の滑り止めと、除雪機への装着部の機能を有する。
【０００５】
図６は従来の雪落し具により雪を落した場合のシュータ内の平面図である。
（ａ）は図５の尖鋭部１０４である程度雪を突いた状態を示す。１１１はシュータ本体、１１２は詰まった雪、１１３は穴であり、このように、尖鋭部１０４で突いただけでは多くの穴が開くだけである。
【０００６】
（ｂ）は図５の尖鋭部１０４で雪を突き落し終った状態を示す。このように穴１１３は大きく開くが、シュータ本体１１１にへばりついて残った雪１１４が残留する。また、図５のへら１０３を使用しても、このへばりついた雪は尖鋭部１０４を使った作業で押し固められているので完全に落すことができない。
【０００７】
【考案が解決しようとする課題】
棒状体１０２の両端にへら１０３や尖鋭部１０４を設けて、除雪機のシュータ部、オーガ部、ブロワー部などに蓄積した雪の雪落しを行ったとしても、へら１０３や尖鋭部１０４では雪落しに時間がかかる。また、樹脂製で軽量ではあるが、へら１０３や尖鋭部１０４が摩耗したり、変形したりして耐久性に劣ることが考えられる。
【０００８】
さらに、雪を落す場所（例えばシュータ）によっては、雪落し作業中に押し固められた雪がへばりついて残り、へら１０３や尖鋭部１０４を使っても完全に落すことができない。
【０００９】
そこで本考案の目的は、シュータなどに詰まった雪を短い時間で除去でき、耐久性に優れた除雪機用雪落し具を提供することにある。
【００１０】
【課題を解決するための手段】
上記目的を達成するために請求項１は、除雪機のシュータなどに詰まった雪を突き落すための除雪機用雪落し具において、この雪落し具は作業者が握ることのできる棒状部と、この棒状部の一端に設けたスコップ部と、前記棒状部の他端に設けた先尖り部とからなることを特徴とする。
【００１１】
シュータなどに雪が固く詰まった時には、一端に設けた先尖り部でシュータなどに詰まった雪を突く。詰まって固まった雪に幾つかの穴が開き、続いて他端のスコップ部で残りの雪を削りながら落す。スコップ部は、単なるへらの場合と違い、残りの固まった雪を削り落すのに最適な道具となる。
【００１２】
一方、シュータなどに詰まった雪質が軟らかい時には、スコップ部のみで雪を削り落す。
以上のように、雪質に応じた先端部の使い分けをすることは、比較的短い時間で雪を除去でき、雪落し具に掛かる負荷も軽減して雪落し具の耐久性を向上させることができる。
【００１３】
【考案の実施の形態】
本考案の実施の形態を添付図面に基づいて以下に説明する。なお、図面は符号の向きに見るものとする。
図１（ａ），（ｂ）は本考案に係る雪落し具を備えた除雪機の側面図及びｂ−ｂ線断面図であり、（ａ）は側面図、（ｂ）は（ａ）のｂ−ｂ線断面図である。除雪機１０は、機体１１の下部に設けたクローラベルト１２を駆動して前進するとともに、機体１１の前部に設けたオーガ１３及びブロア１４を駆動して、オーガ１３で路上の雪１５を中央に掻き集めてブロア１４に送り込み、ブロア１４でシュータ１６の基部１７に跳ね上げ、この基部１７に連結したシュータ本体１８を通して投射するものである。
【００１４】
除雪機１０は、左側部１９に前後の止め金具２１，２１をボルト２２，２２（（ｂ）参照）で取り付け、これら前後の止め金具２１，２１に雪落し具３０を着脱自在に備える。
止め金具２１は、（ｂ）に示すように上下の係止片２３，２３を備え、上下の係止片２３，２３を矢印方向に弾性変形させることにより、雪落し具３０を着脱させることができる。
【００１５】
この雪落し具３０は、除雪作業中に、シュータ１６の基部１７及びシュータ本体１８の下部などに詰まった雪を除去するための棒である。
【００１６】
図２は本考案に係る除雪機用雪落し具を備えた除雪機の要部を示す斜視図である。
除雪作業中に、図１に示すブロア１４から、例えば規定値を超えた多量の雪１５をシュータ１６側に送り込むと、ブロア１４のハウジング２５から上方に延びたシュータ１６の基部１７及び基部１７に連結したシュータ本体１８下部の断面矩形状の部位２６に雪１５が詰まることが考えられる。
【００１７】
この場合、作業者が前後の止め金具２１，２１（図１参照）から雪落し具３０を外して、シュータ１６内に詰まった雪１５の表面２７を、雪落し具３０のスコップ部３２で突いてシュータ１６の下方に落下させる。
【００１８】
図３は本考案に係る除雪機用雪落し具の斜視図である。
雪落し具３０は、一端の先尖り部３１と他端のスコップ部３２を有し、先尖り部３１からスコップ部３２まで延びた中空部３３を備えた樹脂製の中空棒である。また、先尖り部３１の近傍にはガス抜き穴３４、３４を有する。
【００１９】
雪落し具３０は、一例として長さＬを５９０ｍｍ、外径Ｄを２５ｍｍ、肉厚ｔを３ｍｍ、ガス抜き穴３４、３４径を３ｍｍ、先尖り部３１の円錐形状の角θは６０°、スコップ部３２の最大肉厚部３５は１０ｍｍ、最小肉厚部３６は５ｍｍに形成したものである。
雪落し具３０の長さＬ、外径Ｄ及び肉厚ｔは、５９０ｍｍ、２５ｍｍ、３ｍｍに限らないで、例えば除雪機１０（図１参照）の形状やサイズに合わせて任意に決めることができる。
【００２０】
また、先尖り部３１の円錐形状の角θは６０°に限るものではなく、例えば３０〜９０°の範囲で、十分な先尖り状態であれば任意に決めることができる。
さらに、スコップ部３２の最大肉厚部３５、最小肉厚部３６の厚さや、その他スコップ部３２の細かい形状は特に限定しない。
【００２１】
次に、本考案の除雪機用雪落し具の作用を説明する。
図４（ａ），（ｂ）は本考案の除雪機用雪落し具の作用説明図である。
（ａ）はシュータ１６に詰まった雪１５に雪落し具３０の先尖り部３１を用いて穴を開けた状態である。
除雪機１０により除雪作業を進めると、しだいにブロア１４（図１参照）のハウジング２５から上方に延びたシュータ１６の基部１７及び基部１７に連結したシュータ本体１８下部の断面矩形状の部位２６に雪１５が詰まることが考えられる。
【００２２】
詰まった雪１５を雪落し具３０の先尖り部３１で複数回雪１５を突く。この場合、先尖り部３１が円錐状で鋭角部を所有するため、雪落し具３０の先尖り部３１を比較的容易に雪１５の表面２７に突き刺すことができ、結果として貫通孔４１…（…は複数個を示す。以下同様。）が開く。よって、雪１５に時間をかけないで貫通孔４１…を開けることができる。
【００２３】
また、雪落し具３０を、先尖り部３１からスコップ部３２まで延びた中空部３３を備えた樹脂製の中空棒としたので、軽量であり、作業者が取扱いやすい。
【００２４】
（ｂ）は（ａ）の作業でシュータ本体１８に残った雪１５を雪落し具３０のスコップ部３２において削り落す作用を示す。
残った雪１５を雪落し具３０のスコップ部３２で突いて砕くことにより、砕いた雪４２・・・を下方に落下させてシュータ１６内から雪１５を除去する。
【００２５】
雪落し具３０のスコップ部３２は単なるへらなどと比べて強度的に強い。シュータ本体１８に詰まった雪１５に先尖り部３１で穴を開けて、すべて雪１５を取除くことは困難である。したがって、先尖り部３１で取りきれない残りの雪１５が比較的固くなってシュータ本体１８の内壁に残るため、前記スコップ部３２を使って比較的短時間で削り落すことができる。
【００２６】
また、この作業時においても、樹脂製の中空棒である雪落し具３０は軽量であるため作業者が取扱いやすい。
【００２７】
尚、雪落し具３０は樹脂製の中空棒であるが、これに限らないで、例えば木製棒、アルミパイプ棒、ステンレスパイプ棒など材質と細かい寸法は特に問わないし、先尖り部３１やスコップ部３２においても細かい寸法や形状は問わない。
【００２８】
【考案の効果】
本考案は上記構成により次の効果を発揮する。
シュータなどに詰まった雪質が固い時には、一端に設けた先尖り部でシュータなどに詰まった雪を突く。詰まって固まった雪に幾つかの穴が開き、続いて他端のスコップ部で残りの雪を削りながら落す。スコップ部は、単なるへらの場合と違い、残りの固まった雪を削り落すのに最適な道具となる。
【００２９】
一方、シュータなどに詰まった雪質が軟らかい時には、スコップ部のみで雪を削り落す。
以上のように、雪質に応じた先端部の使い分けをすることは、比較的短い時間で雪を除去でき、雪落し具に掛かる負荷も軽減して雪落し具の耐久性を向上させることができる。
【００３０】
さらに、雪落し具を、先尖り部からスコップ部まで延びた中空棒としたので、軽量であり、作業者が取扱いやすい。
【図面の簡単な説明】
【図１】本考案に係る雪落し具を備えた除雪機の側面図及びｂ−ｂ線断面図
【図２】本考案に係る除雪機用雪落し具を備えた除雪機の要部を示す斜視図
【図３】本考案に係る除雪機用雪落し具の斜視図
【図４】本考案の除雪機用雪落し具の作用説明図
【図５】特許文献１の第２図の再掲図
【図６】従来の雪落し具により雪を落した場合のシュータ内の平面図
【符号の説明】
１０…除雪機、１５…雪、１６…シュータ、１７…基部、１８…シュータ本体、２１…止め金具、３０…雪落し具、３１…先尖り部、３２…スコップ部、３３…中空部、３４…ガス抜き穴。
【図１】
0003097677.tif 000003
【図２】
0003097677.tif 000004
【図３】
0003097677.tif 000005
【図４】
0003097677.tif 000006
【図５】
0003097677.tif 000007
【図６】
0003097677.tif 000008